(57)【要約】      （修正有）【課題】入金収納処理における収納リジェクト硬貨の発生を抑制して、硬貨処理機の運用時における稼動効率を向上させる手段を提供する。【解決手段】取込処理時に、収納保留硬貨と判定された硬貨を一時保留部へ搬送して、その金種別の枚数を取込時保留情報として記憶しておき、入金収納処理時に、一時保留部の収納保留硬貨を鑑別部へ搬送して、その金種別の枚数を保留硬貨計数情報として記憶し、入金収納処理時に収納リジェクト硬貨が存在する場合、取込時保留情報と保留硬貨計数情報とのそれそれの合計金額の金額差が、取込時保留情報の金種別枚数と保留硬貨計数情報の金種別枚数との枚数に差が存在する金種の金額にその枚数差Ｎを乗じた金額と一致し、かつ収納リジェクト硬貨が枚数に差が存在する金種の類似硬貨と判定されたときに、当該収納リジェクト硬貨を真性硬貨として取扱うことを判定し、当該硬貨を通常の真性硬貨の収納先へ収納する。【選択図】図５
2009015758.tif 000002
【特許請求の範囲】
【請求項１】
循環使用する硬貨を金種別に収納する金種別収納庫と、硬貨の金種を含む各種の鑑別を行う鑑別部と、硬貨の取込処理時に前記金種別収納庫に収納しない収納保留硬貨を一時保留する一時保留部とを備えた硬貨処理機において、
前記取込処理時に、収納保留硬貨と判定された硬貨を前記一時保留部へ搬送する手段と、
該一時保留部へ搬送した収納保留硬貨の金種別の枚数を取込時保留情報として記憶する手段と、
硬貨の入金収納処理時に、前記一時保留部の収納保留硬貨を前記鑑別部へ搬送する手段と、
該鑑別部へ搬送された収納保留硬貨の金種別の枚数を保留硬貨計数情報として記憶する手段と、
該鑑別部へ搬送された収納保留硬貨に、収納リジェクト硬貨が存在する場合における収納リジェクト硬貨収納処理時に、
前記取込時保留情報と前記保留硬貨計数情報とのそれそれの合計金額の差を算出する手段と、
前記取込時保留情報の金種別枚数と前記保留硬貨計数情報の金種別枚数との枚数に差が存在する金種を抽出する手段と、
該抽出した金種の金額に、その枚数差を乗じた金額を算出する手段と、
前記収納リジェクト硬貨と、前記枚数差が存在する金種の硬貨との類否を判定する手段と、
前記合計金額の金額差が、前記枚数差を乗じた金額に一致し、かつ前記収納リジェクト硬貨が、前記枚数に差が存在する金種の類似硬貨と判定されたときに、前記収納リジェクト硬貨を真性硬貨として取扱うことを判定する手段と、を備えることを特徴とする硬貨処理機。
【請求項２】
循環使用する硬貨を金種別に収納する金種別収納庫と、硬貨の金種を含む各種の鑑別を行う鑑別部と、前記金種別収納庫に収納しない収納保留硬貨を一時保留する一時保留部とを備えた硬貨処理機において、
前記収納保留硬貨と判定された硬貨を前記一時保留部へ搬送する手段と、
該一時保留部に一時保留された収納保留硬貨を前記鑑別部へ搬送する手段と、
該鑑別部へ搬送された収納保留硬貨に、収納リジェクト硬貨が存在する場合における収納リジェクト硬貨収納処理時に、
該収納リジェクト硬貨を再鑑別する手段と、
該再鑑別時に、真性硬貨と鑑別された該収納リジェクト硬貨を、真性硬貨として取扱うことを判定する手段と、を備えることを特徴とする硬貨処理機。
【請求項３】
請求項１または請求項２において、
循環使用に用いない真性硬貨を収納する回収硬貨収納庫を設け、
前記収納リジェクト硬貨が、旧５００円硬貨である場合に、当該旧５００円硬貨を、前記真性硬貨として取扱うことを判定したときに、当該旧５００円硬貨を回収硬貨収納庫へ収納する手段を備えることを特徴とする硬貨処理機。
【発明の詳細な説明】
【技術分野】
【０００１】
本発明は、現金自動預払機等の自動取引装置に装着され、硬貨の入出金を行う硬貨処理機に関する。
【背景技術】
【０００２】
従来の現金自動預払機に装着された硬貨処理機は、入出金口等から搬送された硬貨を１枚毎に分離して繰出す分離部と、硬貨の真偽、正損、金種等を鑑別する鑑別部と、循環使用する硬貨を金種別に収納する金種別収納庫と、硬貨の補充、回収を行う補充回収カセットと、取込処理時に取込まれた硬貨を一時保留する入金一時保留部と、主に出金硬貨を搬送する出金コンベアとを備え、入金処理時の取込処理においては、入出金口から投入された硬貨を分離部で１枚毎に分離して鑑別部へ搬送し、鑑別部で金種等を鑑別してリジェクト硬貨と鑑別された硬貨は放出口へ搬送して顧客に返却し、真性硬貨と鑑別された硬貨は入金一時保留部へ搬送して一時保留し、顧客が入金金額を確定した後の入金収納処理においては、入金一時保留部の硬貨を出金コンベアにより分離部へ搬送し、鑑別部で鑑別された金種に応じて金種別収納庫に収納して、入金された硬貨を循環使用している（例えば、特許文献１参照。）。
【０００３】
このように、入金処理時の取込処理におけるリジェクト硬貨は顧客に返却されるが、入金収納処理においても、鑑別部で鑑別した硬貨の鑑別値が真性硬貨を鑑別するための閾値と接近していたため、または重送等のために、取込処理時に一旦真性硬貨と鑑別された硬貨が、金種不明等のリジェクト硬貨と鑑別される場合がある。
この入金収納処理における収納時のリジェクト硬貨（収納リジェクト硬貨という。）は、顧客に返却すると、確定された入金金額と収納した金額に相違が生じるため、通常は補充回収カセットに設けられた運用リジェクト庫に収納している。
【０００４】
一方、近年の旧５００円硬貨の変造硬貨の出現に伴う硬貨の切替えが行われた場合には、変造硬貨等との取り違えによる誤出金を防止する目的で、旧５００円硬貨を積極的に回収するために、取込処理では旧５００円硬貨を受入れ、入金収納処理時に旧５００円硬貨と鑑別された硬貨は、循環使用せずに、循環使用に用いない真性硬貨のみを収納する回収硬貨収納庫へ収納して回収することが行われる。
【特許文献１】特開２００２−２１６２０７号公報（第２頁段落０００６−００１１、第１図）
【発明の開示】
【発明が解決しようとする課題】
【０００５】
しかしながら、上述した従来の技術においては、入金収納処理における収納リジェクト硬貨を、一般に収納容積が小さく設定されている運用リジェクト庫に収納しているため、収納リジェクト硬貨が多く発生した場合には、運用リジェクト庫がフル状態になって、硬貨処理機の運用停止が発生し、運用時の稼動効率が低下するという問題がある。
このことは、硬貨の切替えに伴って、旧５００円硬貨を積極的に回収するために取込処理において旧５００円硬貨を受入れた場合に、特に顕著になる。
【０００６】
つまり、旧５００円硬貨が収納リジェクト硬貨と鑑別された場合には、その硬貨は運用リジェクト庫に収納されるため、旧５００円硬貨は大型の硬貨であるので、大型の硬貨が運用リジェクト庫に収納されると、運用リジェクト庫が早期にフル状態になって、硬貨処理機の運用停止の回数が増加するという問題がある。
このため、収納している硬貨を鑑別することが可能な補充回収カセットに収納すると、通常、係員により装着される補充回収カセットに装填される５００円硬貨は、旧５００円硬貨であっても変造硬貨である虞はないために、補充回収カセットから補充された硬貨を出金可能としている場合が多く、補充回収カセットから硬貨を補充するときに旧５００円硬貨が当該金種である５００円硬貨を収納する金種別収納庫に収納されてしまう場合があり、旧５００円硬貨が回収されずに再度市場へ流出してしまう可能性があるという問題がある。
【０００７】
本発明は、上記の問題点を解決するためになされたもので、入金収納処理における収納リジェクト硬貨の発生を抑制して、硬貨処理機の運用時における稼動効率を向上させる手段を提供することを目的とする。
【課題を解決するための手段】
【０００８】
本発明は、上記課題を解決するために、循環使用する硬貨を金種別に収納する金種別収納庫と、硬貨の金種を含む各種の鑑別を行う鑑別部と、硬貨の取込処理時に前記金種別収納庫に収納しない収納保留硬貨を一時保留する一時保留部とを備えた硬貨処理機において、前記取込処理時に、収納保留硬貨と判定された硬貨を前記一時保留部へ搬送する手段と、該一時保留部へ搬送した収納保留硬貨の金種別の枚数を取込時保留情報として記憶する手段と、硬貨の入金収納処理時に、前記一時保留部の収納保留硬貨を前記鑑別部へ搬送する手段と、該鑑別部へ搬送された収納保留硬貨の金種別の枚数を保留硬貨計数情報として記憶する手段と、該鑑別部へ搬送された収納保留硬貨に、収納リジェクト硬貨が存在する場合における収納リジェクト硬貨収納処理時に、前記取込時保留情報と前記保留硬貨計数情報とのそれそれの合計金額の差を算出する手段と、前記取込時保留情報の金種別枚数と前記保留硬貨計数情報の金種別枚数との枚数に差が存在する金種を抽出する手段と、該抽出した金種の金額に、その枚数差を乗じた金額を算出する手段と、前記収納リジェクト硬貨と、前記枚数差が存在する金種の硬貨との類否を判定する手段と、前記合計金額の金額差が、前記枚数差を乗じた金額に一致し、かつ前記収納リジェクト硬貨が、前記枚数に差が存在する金種の類似硬貨と判定されたときに、前記収納リジェクト硬貨を真性硬貨として取扱うことを判定する手段と、を備えることを特徴とする。
【発明の効果】
【０００９】
これにより、本発明は、真性硬貨として取扱うことを判定した収納リジェクト硬貨を、通常の真性硬貨の収納先、つまり旧５００円硬貨の場合には回収硬貨収納庫へ、オーバフロー硬貨である場合は補充回収カセットへ収納することができ、収納リジェクト硬貨収納処理時における収納リジェクト硬貨の発生を抑制して運用リジェクト庫に収納する収納リジェクト硬貨を減少させることが可能になり、硬貨処理機の運用時の稼動効率を向上させることができるという効果が得られる。
【発明を実施するための最良の形態】
【００１０】
以下に、図面を参照して本発明による硬貨処理機の実施例について説明する。
【実施例１】
【００１１】
図１は実施例１の硬貨処理機の概略構成の側面を示す説明図、図２は実施例１の硬貨処理機を示すブロック図である。
図１、図２において、１は硬貨処理機であり、入金取引時等に顧客が投入した硬貨を受入れ、これを鑑別および計数して収納し、出金取引時等に顧客に支払う硬貨を繰出し、これを計数して顧客に払出す機能を有しており、旧５００円硬貨を受入れ、これを循環使用せずに回収する機能を有している。
【００１２】
以下に説明する硬貨処理機１は、銀行や郵政公社等の金融機関の支店や郵便局、コンビニエンスストア等の店舗に設置され、顧客との間での取引を自動で行う自動取引装置としての現金自動預払機に装着されているとして説明する。
２は硬貨の入出金口であり、入出金口２を開閉するためのシャッタが設けられており、顧客が投入した硬貨を一括して受付ける機能等を有している。
【００１３】
３は硬貨の分離部であり、入出金口２に投入され搬送された硬貨、および後述する汎用搬送路７により搬送された硬貨を受入れ、これを１枚毎に分離して繰出す機能を有している。
４は硬貨の鑑別部であり、硬貨の入金処理における取込処理時および入金収納処理時等に、分離部３により１枚ずつに分離されて搬入された硬貨の、磁気特性等の材質や形状、または画像等により求めた１または複数の鑑別値を予め設定された閾値と比較して硬貨の真偽、正損、金種等や、重送、連鎖等の搬送状態等の硬貨に関する各種の鑑別を行う機能を有している。
【００１４】
本実施例の鑑別部４は、硬貨の材質の鑑別値および形状の鑑別値をそれぞれの閾値と比較して、硬貨の真偽、正損、金種等を鑑別する鑑別部である。
５は金種別収納庫であり、循環使用する硬貨を金種別に収納する収納庫であって、入金処理時に確定された硬貨や補充された硬貨を金種別に収納するために複数設けられており、それぞれ収納する硬貨を集積する集積機構および出金する硬貨を繰出す繰出機構を備えている。
【００１５】
６は硬貨の一時集積部であり、各金種別収納庫５の上方にそれぞれ設けられ、取込処理時に金種別収納庫５に収納可能と判定された硬貨を金種別に集積して一時集積すると共に、一時集積している硬貨を繰出す機能を有している。
７は汎用搬送路であり、出金処理時に各金種別収納庫５から繰出された硬貨や、硬貨の補充時に後述する補充回収カセット１０から繰出された硬貨等を、搬送ベルト上に載置して搬送する搬送路であって、補充回収カセット１０の繰出口から各金種別収納庫５の下方を経由して分離部３に至るように設けられている。
【００１６】
また、汎用搬送路７は、取込処理時等に鑑別部４で、旧５００円硬貨と鑑別された硬貨や、金種別収納庫５がフル状態であるために収納しきれなくなったオーバフロー硬貨等の、取込処理時に金種別収納庫５へ収納しないと判定された収納保留硬貨を一時保留するための一時保留部８として機能する。
なお、一時保留部８は、集積機構および繰出機構を備えた収納庫であってもよい。
【００１７】
１０は補充回収カセットであり、硬貨処理機１に着脱可能に装着され、装填されている硬貨を金種別収納庫５へ補充し、金種別収納庫５に収納されている硬貨を回収するときに硬貨の運搬に用いられる金庫であって、硬貨を繰出す繰出機構および硬貨を収納する集積機構等を備えており、入金処理時や補充処理時のオーバフロー硬貨も循環使用を可能とするために収納される。
【００１８】
１１は運用リジェクト庫であり、各金種別収納庫５への硬貨の入金収納処理時等の収納時に、金種不明や重送等によりリジェクト硬貨と判定された収納リジェクト硬貨を収納する収納庫であって、補充回収カセット１０内の上部に、補充回収カセット１０の収納部への通路を確保した状態で取付けられており、硬貨を収納する際の集積機構のみを備えている。
【００１９】
なお、運用リジェクト庫１１は、補充回収カセット１０の外部に、着脱可能に装着された収納庫であってもよい。
１２は回収硬貨収納庫であり、循環使用に用いない真性硬貨を回収するための収納庫であって、硬貨処理機１に着脱可能に装着されており、硬貨を収納する際の集積機構のみを備えている。本実施例の真性の旧５００円硬貨は回収硬貨収納庫１２に収納される。
【００２０】
１３は搬送路であり、搬送ベルトやシュータ等により形成されており、上記の各部の間を接続して硬貨を搬送する機能を有している。
１４は振分ゲートであり、硬貨の搬送方向を切替える振分機構を備えて、搬送路１３の各分岐部に設けられており、振分ゲート１４ａ〜１４ｅで構成されている。
上記の搬送路１３は、搬送路１３ａ〜１３ｋで構成され、搬送路１３ａは入出金口２から分離部３に至るように、搬送路１３ｂは分離部３から鑑別部４に至るように、搬送路１３ｃは鑑別部４から振分ゲート１４ａに至るように、搬送路１３ｄは振分ゲート１４ａから各一時集積部６へ分岐する搬送路１３ｅとの分岐部に設けられた６つの振分ゲート１４ｂを経て補充回収カセット１０へ分岐する搬送路１３ｆとの分岐部に設けられた振分ゲート１４ｃに至るように、搬送路１３ｇは振分ゲート１４ｃから回収硬貨収納庫１２へ分岐する搬送路１３ｈとの分岐部に設けられた振分ゲート１４ｄ、運用リジェクト庫１１へ分岐する搬送路１３ｉとの分岐部に設けられた振分ゲート１４ｅを経て入出金口２に至るように、搬送路１３ｊは各金種別収納庫５の繰出口から汎用搬送路７に至るように、搬送路１３ｋは振分ゲート１４ａで分岐して一時保留部８（汎用搬送路７）に至るように、それぞれ設けられている。
【００２１】
なお、各振分ゲート１４は、常時は、搬送路１３ｃ、１３ｄ、１３ｇで形成される搬送経路に沿って、硬貨を搬送する方向にセットされており、搬送方向を切替え、その硬貨を通過させた後に元の位置に復帰するよう構成されている。
図２において、１５は硬貨処理機１の制御部であり、上位装置である現金自動預払機の図示しない主制御部からの指令により、硬貨処理機１の各部を制御して入金処理における硬貨の取込処理や入金収納処理、硬貨を顧客に払出す出金処理、補充回収カセット１１からの硬貨を金種別収納庫５へ補充する補充処理等の各種の硬貨処理を実行する機能を有している。
【００２２】
１６は、硬貨処理機１の記憶部であり、制御部１５が実行するプログラムやそれに用いる各種のデータおよび制御部１５による処理結果等が格納される。
上記の現金自動預払機の図示しない主記憶部には、顧客が選択した取引の入力を受付け、これを基に図示しないホストコンピュータと交信して顧客との取引を自動で行う機能等を有する通常の業務処理実行プログラムが予め格納されており、主制御部が実行する業務処理実行プログラムのステップにより本実施例の現金自動預払機のハードウェアとしての各機能手段が形成される。
【００２３】
硬貨処理機１の記憶部１６には、上位装置である現金自動預払機の主制御部からの指令により、硬貨の搬送や鑑別、一時集積部６への集積、各金種別収納庫５への収納、繰出等により取込処理や入金収納処理、出金処理、補充処理等の硬貨処理を実行する硬貨処理プログラムに、入金収納処理に、鑑別部４で金種不明等の収納リジェクト硬貨と鑑別された硬貨を、一旦一時保留部８に搬送して集積し、入金収納処理における鑑別の終了後の収納リジェクト硬貨収納処理時に、一定の条件下で真性硬貨と見做して取扱う機能を有するアプリケーションプログラムが追加された硬貨取扱プログラムが予め格納されており、制御部１５が実行する硬貨取扱プログラムのステップにより本実施例の硬貨処理機１のハードウェアとしての各機能手段が形成される。
【００２４】
また、記憶部１６には、硬貨処理機１が受付ける硬貨を、鑑別部４が鑑別するときに用いる閾値、例えば、金種別に設定された、硬貨の磁気特性の基準値と所定の許容範囲からなる材質閾値、および硬貨の直径の基準値と所定の許容範囲からなる直径閾値、光学的に計測した反射率や凹凸の基準値とそれらの所定の許容範囲からなる汚損度閾値等の形状閾値等の閾値の中から、金種別の材質閾値と直径閾値が閾値情報として予め格納されている。
【００２５】
本実施例では、旧５００円硬貨による入金を受付けるので、旧５００円硬貨に関する前記の閾値情報も格納されている。
更に、記憶部１６には、各金種別収納庫５に収納されている硬貨の収納枚数を金種別に計数する収納枚数計数エリアが金種別収納庫５毎に確保されると共に、入金処理における取込処理において各一時集積部６に集積される硬貨の集積枚数を金種別に計数する集積枚数計数エリアが一時集積部６毎に確保される他、取込処理時に一時保留部８に一時保留された収納保留硬貨を金種別に計数する取込時保留硬貨計数エリア、および入金収納処理時に一時保留部８に一時保留されていた収納保留硬貨を鑑別部４で鑑別した際の鑑別結果を金種別に計数する収納時保留硬貨計数エリアが確保されている。
【００２６】
以下に、図３に示すフローチャートを用い、Ｓで示すステップに従って本実施例の硬貨の入金処理における取込処理について説明する。
金融機関の店舗の係員が、現金自動預払機へ電源を投入すると、現金自動預払機の図示しない主記憶部に格納されている業務処理実行プログラム、および硬貨処理機１の記憶部１６に格納されている硬貨取扱プログラムが自動的に起動される。
【００２７】
業務処理実行プログラムが起動されると、現金自動預払機の図示しない主制御部は、出金取引、入金取引、振込取引、残高照会取引、通帳記帳取引等の取引を選択するための取引選択ボタンを表示した取引選択画面を表示して待機し、顧客が取引選択ボタンにより、所望の取引を選択したときに、選択された取引の取引処理を実行する。
本実施例では、顧客が入金取引を選択し、旧５００円硬貨を含む硬貨を入出金口２へ投入した場合を例に説明する。
【００２８】
顧客が入金取引の取引選択ボタンを押下すると、これを認識した主制御部は硬貨処理機１の制御部１５へ、硬貨の取込指令を送信する。
Ｓ１、硬貨の取込指令を受信した硬貨処理機１の制御部１５は、硬貨取扱プログラムにより硬貨の取込処理を開始し、入出金口２のシャッタを解放して顧客による硬貨の投入を待って待機し、硬貨の投入を検知した後に所定の時間が経過したことを確認したときに、入出金口２のシャッタを閉鎖してステップＳ２へ移行する。
【００２９】
Ｓ２、入出金口２のシャッタを閉鎖した制御部１５は、記憶部１６の集積枚数計数エリア、取込時保留硬貨計数エリアおよび収納時保留硬貨計数エリアの金種別のカウント数を「０」にリセットし、入出金口２に投入された硬貨を搬送路１３ａにより分離部３へ搬送する（図４に太い実線で示す搬送経路参照）。
また、制御部１５は、記憶部１６の収納枚数計数エリアから各金種別収納庫５に収納されている硬貨の収納枚数を読出してフル状態の金種別収納庫５を特定し、その金種を、オーバフロー硬貨を判定するためのオーバフロー金種として記憶部１６に一時保存する。
【００３０】
Ｓ３、硬貨を分離部３へ搬送した制御部１５は、分離部３により硬貨を１枚毎に繰出して、搬送路１３ｂにより鑑別部４へ搬送し、鑑別部４で取込時の硬貨の鑑別を行う。
Ｓ４、制御部１５は、鑑別部４での鑑別された硬貨が、真性硬貨（金種を鑑別することが可能な硬貨をいう。）である場合はステップＳ６へ移行する。
鑑別された硬貨が、真性硬貨でない場合、つまり偽硬貨や外国硬貨、変形や傷等により金種を鑑別できない硬貨等の取込時のリジェクト硬貨（取込リジェクト硬貨という。）の場合はステップＳ５へ移行する。
【００３１】
Ｓ５、鑑別部４で鑑別された硬貨を取込リジェクト硬貨と認識した制御部１５は、その硬貨を顧客に返却するために、搬送路１３ｃ、１３ｄ、１３ｇにより、入出金口２へ搬送して集積し（図４参照）、ステップＳ９へ移行する。
Ｓ６、鑑別部４で鑑別された硬貨を真性硬貨と認識した制御部１５は、記憶部１６に一時保存されているオーバフロー金種を読出し、鑑別された金種がオーバフロー金種に該当するオーバフロー硬貨の場合、または旧５００円硬貨である場合は、その硬貨を金種別収納庫５に収納できない収納保留硬貨と判定してステップＳ７へ移行する。
【００３２】
鑑別された硬貨が収納保留硬貨に該当しないと判定した場合、つまり循環使用が可能であり、金種別収納庫５に収納可能と判定した場合は、ステップＳ８へ移行する。
Ｓ７、鑑別された硬貨を収納保留硬貨と判定した制御部１５は、振分ゲート１４ａの搬送方向を搬送路１３ｋの方向に切替えて当該硬貨を搬送路１３ｃ、１３ｋにより一時保留部８（汎用搬送路７）に搬送して一時保留する（図４参照）と共に、その硬貨の金種を基に、記憶部１６の取込時保留硬貨計数エリアの当該金種のカウント数に「１」を加えて収納保留硬貨の金種別枚数をカウントし、ステップＳ９へ移行する。
【００３３】
Ｓ８、鑑別された硬貨を金種別収納庫５に収納すべき硬貨と判定した制御部１５は、当該一時集積部６へ分岐させる振分ゲート１４ｂの搬送方向を搬送路１３ｅの方向に切替えて当該硬貨を搬送路１３ｃ、１３ｄ、１３ｅにより当該一時集積部６に搬送して一時集積する（図４参照）と共に、その硬貨の金種を基に、記憶部１６の集積枚数計数エリアの当該金種のカウント数に「１」を加えて各一時集積部６の金種別の集積枚数をカウントする。
【００３４】
この場合に、カウントされた集積枚数に、収納枚数計数エリアの当該金種の収納枚数を加えた枚数が、フル状態を示す枚数となったときは、以後の当該金種の硬貨をオーバフロー硬貨と判定するために、その金種をオーバフロー金種として記憶部１６に一時保存する。
Ｓ９、制御部１５は、図示しない通過検出センサにより分離部３から搬送路１３ｂへ繰出された硬貨の搬送間隔を監視しており、搬送間隔が所定の判定間隔以内の場合は、鑑別の継続を判定してステップＳ３へ戻り、上記の取込時の硬貨の鑑別を継続する。
【００３５】
搬送間隔が所定の判定間隔を超えている場合は、取込時の硬貨の鑑別が終了したと判定し、取込処理を終了させ、記憶部１６の集積枚数計数エリアから金種別の集積枚数を、取込時保留硬貨計数エリアから収納保留硬貨の金種別枚数を読出し、各金種の金額にそれぞれの枚数を乗じ、これらを合計した取込金額を添付した取込終了通知を、現金自動預払機の主制御部へ送信する。
【００３６】
なお、入出金口２に取込リジェクト硬貨が集積されているときは、制御部１５は入出金口２のシャッタを解放して取込リジェクト硬貨を顧客に返却する。
取込終了通知を受信した主制御部は、その取込金額を表示し、顧客はこれを確認して確定操作を行い、これを認識した主制御部は、硬貨処理機１の制御部１５へ、硬貨の入金収納指令を送信する。
【００３７】
なお、顧客が取消操作等により投入した硬貨の返却を要求したときは、主制御部は、制御部１５へ硬貨の返却指令を送信し、これを受信した制御部１５は、一時集積部６に集積されている硬貨をそれぞれの金種別収納庫５をバイパスさせて汎用搬送路７へ繰出し、一時保留されている収納保留硬貨と共に分離部３へ搬送し、搬送路１３ｂ、１３ｃ、１３ｄ、１３ｇにより分離部３から入出金口２へ搬送して顧客に返却し、入金処理を終了させる。
【００３８】
以下に、図５に示すフローチャートを用い、ＳＡで示すステップに従って本実施例の硬貨の入金処理における入金収納処理について説明する。
ＳＡ１、硬貨の入金収納指令を受信した硬貨処理機１の制御部１５は、入金収納処理を開始し、各一時集積部６に集積されている硬貨を、それぞれの金種別収納庫５に繰出して収納すると共に、記憶部１６の集積枚数計数エリアから一時集積部６へ集積した金種別の集積枚数を読出し、収納枚数カウントエリアのそれぞれの金種を収納する金種別収納庫５の収納枚数に読出した集積枚数を加えて、各金種別収納庫５の収納枚数を更新する。
【００３９】
ＳＡ２、これと並行して制御部１５は、一時保留部８に一時保留されている収納保留硬貨を、汎用搬送路７により分離部３に搬送して集積する。
ＳＡ３、分離部３に収納保留硬貨を集積した制御部１５は、上記ステップＳ３と同様にして、鑑別部４で入金収納時の硬貨の鑑別を行う。
ＳＡ４、制御部１５は、鑑別部４で鑑別された硬貨が、旧５００円硬貨である場合はステップＳＡ５へ移行する。
【００４０】
鑑別された硬貨が、旧５００円硬貨でない場合は、ステップＳＡ６へ移行する。
ＳＡ５、鑑別部４で鑑別された硬貨を旧５００円硬貨と認識した制御部１５は、その硬貨を回収するために、図６に太い実線で示すように、振分ゲート１４ｄの搬送方向を搬送路１３ｈの方向に切替えて当該旧５００円硬貨を搬送路１３ｃ、１３ｄ、１３ｇ、１３ｈにより、回収硬貨収納庫１２へ搬送して収納すると共に、その硬貨の金種（５００円）を基に、記憶部１６の収納時保留硬貨計数エリアの当該金種のカウント数に「１」を加えて入金収納時の収納保留硬貨の金種別枚数をカウントし、ステップＳＡ９へ移行する。
【００４１】
これにより、真性と鑑別された旧５００円硬貨が回収硬貨収納庫１２に収納され、係員により定期的に、または必要に応じて回収される。
ＳＡ６、制御部１５は、鑑別部４で鑑別された硬貨が旧５００円以外の金種の真性硬貨の場合は、当該硬貨をオーバフロー硬貨と判定してステップＳＡ８へ移行する。
鑑別された硬貨が、金種不明等と鑑別された収納リジェクト硬貨（本実施例では、旧５００円硬貨とする。）の場合は、ステップＳＡ７へ移行する。
【００４２】
ＳＡ７、鑑別部４で鑑別された硬貨を収納リジェクト硬貨と認識した制御部１５は、図７に太い実線で示すように、振分ゲート１４ａの搬送方向を搬送路１３ｋの方向に切替えて、当該収納リジェクト硬貨と鑑別された旧５００円硬貨を搬送路１３ｃ、１３ｋにより一時保留部８に搬送して一時保留すると共に、収納リジェクト硬貨が存在する旨とその鑑別値からなる鑑別情報とを収納リジェクト情報として、記憶部１６に一時保存してステップＳＡ９へ移行する。
【００４３】
ＳＡ８、鑑別部４で鑑別された硬貨をオーバフロー硬貨と判定した制御部１５は、当該硬貨の循環使用を可能とするために、図８に太い実線で示すように、振分ゲート１４ｃの搬送方向を搬送路１３ｆの方向に切替えて当該オーバフロー硬貨を搬送路１３ｃ、１３ｄ、１３ｆにより、補充回収カセット１０へ搬送して収納すると共に、その硬貨の金種を基に、記憶部１６の収納時保留硬貨計数エリアの当該金種のカウント数に「１」を加えて入金収納時の収納保留硬貨の金種別枚数をカウントする。
【００４４】
これにより、真性と鑑別されたオーバフロー硬貨が補充回収カセット１０に収納され、その後の補充処理により当該金種の金種別収納庫５に収納され、出金硬貨として循環使用される。
ＳＡ９、制御部１５は、上記ステップＳ９と同様にして、入金収納時の硬貨の鑑別の終了を認識し、硬貨の鑑別の継続を判定した場合は、ステップＳＡ３へ戻って上記の入金収納時の硬貨の鑑別を継続する。
【００４５】
硬貨の鑑別の終了を判定した場合は、ステップＳＡ１０へ移行する。
ＳＡ１０、硬貨の鑑別の終了を判定した制御部１５は、記憶部１６の収納リジェクト情報の有無を確認し、収納リジェクト情報が存在する場合は、収納リジェクト硬貨収納処理の実行を認識してステップＳＡ１１へ移行する。
収納リジェクト情報が存在しない場合は、制御部１５は、入金収納処理を終了させ、入金収納終了通知を、現金自動預払機の主制御部へ送信する。これを受信した主制御部はその後の取引処理を通常と同様に実行する。
【００４６】
ＳＡ１１、入金収納処理時の収納保留硬貨の収納リジェクト硬貨収納処理の実行を認識した制御部１５は、記憶部１６の取込時保留硬貨計数エリアに格納されている取込時の収納保留硬貨の金種別枚数からなる取込時保留情報と、収納時保留硬貨計数エリアから入金収納時に計数した収納保留硬貨の金種別枚数からなる保留硬貨計数情報とを読出し、取込時保留情報の各金種の金額にそれぞれの枚数を乗じ、これらを合計した取込時保留金額と、保留硬貨計数情報の各金種の金額にそれぞれの枚数を乗じ、これらを合計した保留硬貨計数金額とを求め、取込時保留金額と保留硬貨計数金額との金額差を算出する。
【００４７】
また、制御部１５は、取込時保留情報の金種別枚数と保留硬貨計数情報の金種別枚数とを金種別に比較し、その枚数に差が存在する金種（５００円）を抽出すると共に、その枚数差Ｎ（＝２）を認識する。
そして、制御部１５は、抽出した金種の金額に当該金種の枚数差Ｎを乗じた金額（５００×２＝１０００円）を算出し、算出した金額と、取込時保留金額と保留硬貨計数金額との金額差とが一致する場合は、収納リジェクト硬貨の金種を枚数差Ｎが存在する金種と認識してステップＳＡ１２へ移行する、
算出した金額と、取込時保留金額と保留硬貨計数金額との金額差とが不一致の場合は、当該硬貨を不明硬貨として取扱うことを判定してステップＳＡ１３へ移行する。
【００４８】
なお、取込時保留情報の金種別枚数と保留硬貨計数情報の金種別枚数とを金種別に比較したときに、２つ以上の金種に枚数差が存在する場合は、次ステップによる類否の判定の基準となる金種が特定できないため、当該硬貨を不明硬貨として取扱うことを判定してステップＳＡ１３へ移行する。
ＳＡ１２、収納リジェクト硬貨の金種を枚数差Ｎが存在する金種と認識した制御部１５は、枚数差Ｎが存在する金種の硬貨と収納リジェクト硬貨との類否を判定するために、記憶部１６から枚数差Ｎが存在する金種の硬貨の材質閾値と直径閾値とからなる閾値情報を読出し、その材質閾値と直径閾値の許容範囲を所定の割合（例えば、１０％）で広げてそれぞれの類否判定閾値を算出する。
【００４９】
そして、記憶部１６の収納リジェクト情報から、当該硬貨（収納リジェクト硬貨と鑑別された旧５００円硬貨）の鑑別情報を読出し、その鑑別値と算出した類否判定閾値とをそれぞれ比較し、それぞれの鑑別値が、類否判定閾値の範囲内にあることにより同一金種の類似硬貨と判定した場合は、当該硬貨を真性硬貨（真性の旧５００円硬貨）と見做し、真性硬貨として取扱うことを判定してステップＳＡ１４へ移行する。
【００５０】
鑑別情報の鑑別値のいずれか一つが、類否判定閾値の範囲を超える場合は、当該硬貨を不明硬貨として取扱うことを判定してステップＳＡ１３へ移行する。
ＳＡ１３、鑑別部４で鑑別された収納リジェクト硬貨を、不明硬貨として取扱うことを判定した制御部１５は、図９に太い実線で示すように、振分ゲート１４ｅの搬送方向を搬送路１３ｉの方向に切替え、一時保留部８に一時保留した当該硬貨を、汎用搬送路７、分離部３、搬送路１３ｂにより鑑別部４へ搬送し、鑑別部４を通過させて、搬送路１３ｃ、１３ｄ、１３ｇ、１３ｉにより、補充回収カセット１０の運用リジェクト庫１１へ搬送して収納し、上記ステップＳＡ１０と同様にして、入金収納処理を終了させる。
【００５１】
これにより、入金収納時の金種等の不明硬貨が運用リジェクト庫１１へ収納され、係員により定期的に、または必要に応じて、補充回収カセット１０が取外されたときに、その不明硬貨の目視等による観察等が行われる。
ＳＡ１４、鑑別部４で収納リジェクト硬貨と鑑別された旧５００円を、真性硬貨として取扱うことを判定した制御部１５は、振分ゲート１４ｄの搬送方向を搬送路１３ｈの方向に切替え、一時保留部８に一時保留した当該旧５００円硬貨を、汎用搬送路７、分離部３、搬送路１３ｂにより鑑別部４へ搬送し、鑑別部４を通過させて、搬送路１３ｃ、１３ｄ、１３ｇ、１３ｈにより、回収硬貨収納庫１２へ搬送して収納し（図６参照）、上記ステップＳＡ１０と同様にして、入金収納処理を終了させる。
【００５２】
これにより、入金収納時に真性と見做された旧５００円硬貨が回収硬貨収納庫１２に収納され、係員により定期的に、または必要に応じて回収される。
なお、本実施例では、収納リジェクト硬貨と鑑別された硬貨を、積極的な回収の対象である旧５００円硬貨として説明したが、収納リジェクト硬貨と鑑別された硬貨が１００円硬貨等の循環使用可能なオーバフロー硬貨の場合は、上記ステップＳＡ１２で、真性硬貨と見做して真性硬貨として取扱うことを判定した後に、一時保留部８に一時保留した当該硬貨を、汎用搬送路７、分離部３、搬送路１３ｂにより鑑別部４へ搬送し、鑑別部４を通過させて、搬送路１３ｃ、１３ｄ、１３ｆにより、補充回収カセット１０へ搬送して収納する（図８参照）。
【００５３】
この場合に、補充処理における各金種別収納庫５への硬貨の収納時に補充回収カセット１０から繰出された当該硬貨が、収納リジェクト硬貨と鑑別されたときは、運用リジェクト庫１１に収納される。
このようにして、本実施例の硬貨の入金処理が実行される。
なお、本実施例の補充処理および出金処理は、通常の場合と同様に実行される。
【００５４】
上記のように、本実施例の入金収納処理においては、取込処理時に、一旦真性硬貨と鑑別され、収納保留硬貨と判定されて一時保留部８に一時保留された硬貨が、入金収納処理時に収納リジェクト硬貨と判定された場合の収納リジェクト収納処理時に、その収納リジェクト硬貨の金種を、取込時保留金額と保留硬貨計数金額との金額差を構成していると推定される、取込時保留情報の金種別枚数と保留硬貨計数情報の金種別枚数とに枚数差Ｎが存在する金種として、その金種の金額と枚数差Ｎとから算出した金額と、前記の金額差との一致により、収納リジェクト硬貨の金種を特定し、収納リジェクト硬貨の鑑別情報を基に特定した金種の硬貨との類否を判定し、類似硬貨と判定されたときに、当該収納リジェクト硬貨を真性硬貨と見做して真性硬貨として取扱うことを判定するので、真性硬貨として取扱うことを判定した収納リジェクト硬貨を、旧５００円硬貨の場合には回収硬貨収納庫１２へ、オーバフロー硬貨である場合は補充回収カセットへ収納して、通常の真性硬貨の収納先に収納することができ、入金収納処理時における収納リジェクト硬貨の発生を抑制して、運用リジェクト庫１１に収納する収納リジェクト硬貨を減少させることが可能になり、運用リジェクト庫１１がフル状態になることによる硬貨処理機１の運用停止の頻度を減少させて、運用時の稼動効率を向上させることができる。
【００５５】
このことは、硬貨の切替えに伴って、比較的大型の旧５００円硬貨を積極的に回収するために取込処理で旧硬貨を受入れた場合に、特に有効である。
また、入金収納処理時に、収納リジェクトと鑑別された硬貨は、取込処理時に一旦は真性硬貨と鑑別されているので、上記の２つの条件を満足する確率は高く、運用リジェクト庫１１に収納される収納リジェクト硬貨の枚数を大幅に減少させることが可能になる。
【００５６】
更に、収納リジェクト硬貨と鑑別された旧５００円硬貨は、回収硬貨収納庫１２または運用リジェクト庫１１に収納され、補充回収カセット１０に収納されることはないので、補充回収カセット１０からの硬貨の補充時に、旧５００円硬貨が当該金種の金種別収納庫５に収納されることはなく、旧５００円硬貨が回収されずに再度市場へ流出してしまうことを防止することができると共に、旧５００円硬貨を確実に回収することができる。
【００５７】
以上説明したように、本実施例では、複数の金種別収納庫と、鑑別部と、一時保留部とを備えた硬貨処理機において、取込処理時に、収納保留硬貨と判定された硬貨を一時保留部へ搬送して、その金種別の枚数を取込時保留情報として記憶しておき、入金収納処理時に、一時保留部の収納保留硬貨を鑑別部へ搬送して、その金種別の枚数を保留硬貨計数情報として記憶し、入金収納処理時に鑑別部へ搬送された収納保留硬貨に、収納リジェクト硬貨が存在する場合における収納リジェクト硬貨収納処理時に、取込時保留情報と保留硬貨計数情報とのそれそれの合計金額の金額差が、取込時保留情報の金種別枚数と保留硬貨計数情報の金種別枚数との枚数に差が存在する金種の金額にその枚数差を乗じた金額と、一致し、かつ収納リジェクト硬貨が枚数に差が存在する金種の類似硬貨と判定されたときに、当該収納リジェクト硬貨を真性硬貨として取扱うことを判定するようにしたことによって、真性硬貨として取扱うことを判定した収納リジェクト硬貨を、通常の真性硬貨の収納先、つまり旧５００円硬貨の場合には回収硬貨収納庫へ、オーバフロー硬貨である場合は補充回収カセットへ収納することができ、収納リジェクト硬貨収納処理時における収納リジェクト硬貨の発生を抑制して運用リジェクト庫に収納する収納リジェクト硬貨を減少させることが可能になり、運用リジェクト庫のフル状態による硬貨処理機の運用停止の頻度を減少させて、運用時の稼動効率を向上させることができる。
【実施例２】
【００５８】
図１０は実施例２の入金収納処理を示すフローチャートである。
なお、上記実施例１と同様の部分は、同一の符号を付してその説明を省略する。
本実施例の現金自動預払機の主記憶部には、上記実施例１と同様の業務処理実行プログラムが予め格納されており、主制御部が実行する業務処理実行プログラムのステップにより本実施例の現金自動預払機のハードウェアとしての各機能手段が形成される。
【００５９】
硬貨処理機１の記憶部１６には、実施例１と同様の硬貨処理プログラムに、入金収納処理時に鑑別部４で金種不明等の収納リジェクト硬貨と鑑別された硬貨を、一旦一時保留部８に搬送して集積し、入金収納処理における鑑別の終了後の収納リジェクト硬貨収納処理時に、収納リジェクト硬貨を再鑑別したときに真性硬貨と鑑別された硬貨は真性硬貨として取扱う機能を有するアプリケーションプログラムが追加された硬貨取扱プログラムが予め格納されており、制御部１５が実行する硬貨取扱プログラムのステップにより本実施例の硬貨処理機１のハードウェアとしての各機能手段が形成される。
【００６０】
また、記憶部１６には、上記実施例１と同様の収納枚数計数エリア、集積枚数計数エリア、取込時保留硬貨計数エリアが確保されている。
なお、本実施例では、実施例１の収納時保留硬貨計数エリアは省略されている。
以下に、図１０に示すフローチャートを用い、ＳＢで示すステップに従って本実施例の硬貨の入金処理における入金収納処理について説明する。
【００６１】
なお、本実施例の取込処理は、上記実施例１の図３に示す取込処理と同様である。
この場合に、実施例１のステップＳ２において、制御部１５は、硬貨の取込処理の実行を開始したときに、記憶部１６の集積枚数計数エリアおよび取込時保留硬貨計数エリアの金種別のカウント数を「０」にリセットする。
本実施例ステップＳＢ１〜ＳＢ９の作動は、上記実施例１のステップＳＡ１〜ＳＡ９（図５）の作動と同様であるので、その説明を省略する。
【００６２】
この場合に、実施例１のステップＳＡ６、ＳＡ８における収納時保留硬貨計数エリアを用いた旧５００円硬貨やオーバフロー硬貨の入金収納時の金種別枚数の計数は、省略される。
また、ステップＳＡ７において一時保存される収納リジェクト情報には、収納リジェクト硬貨が存在する旨が記されている。
【００６３】
ＳＢ１０、硬貨の鑑別の終了を判定した制御部１５は、記憶部１６の収納リジェクト情報の有無を確認し、収納リジェクト情報が存在する場合は、収納リジェクト硬貨収納処理の実行を認識し、リトライ回数Ｋを「０」として記憶部１６に保存すると共に、記憶部１６の収納リジェクト情報を消去してステップＳＢ１１へ移行する。
収納リジェクト情報が存在しない場合は、制御部１５は、実施例１のステップＳＡ１０と同様にして、入金収納処理を終了させる。
【００６４】
ＳＢ１１、入金収納処理時の収納保留硬貨の収納リジェクト硬貨収納処理の実行を認識した制御部１５は、リトライ回数Ｋに「１」を加えて、収納リジェクト硬貨の再鑑別の回数を計数する。
ＳＢ１２、制御部１５は、一時保留部８に一時保留されている収納リジェクト硬貨を汎用搬送路７により分離部３に搬送して集積し、実施例１のステップＳ３と同様にして、鑑別部４で収納リジェクト硬貨の金種等の再鑑別を行う。
【００６５】
ＳＢ１３、制御部１５は、鑑別部４で再鑑別された硬貨が、真性の旧５００円硬貨である場合は、当該硬貨を真性の旧５００円硬貨として取扱うことを判定してステップＳＢ１４へ移行する。
再鑑別された硬貨が、真性の旧５００円硬貨でない場合は、ステップＳＢ１５へ移行する。
【００６６】
ＳＢ１４、再鑑別された硬貨を真性の旧５００円硬貨として取扱うことを判定した制御部１５は、実施例１のステップＳＡ５と同様にして、当該旧５００円硬貨を回収硬貨収納庫１２へ搬送して収納し、ステップＳＢ１９へ移行する。
これにより、真性硬貨として取扱うことを判定された旧５００円硬貨が回収硬貨収納庫１２に収納され、係員により定期的に、または必要に応じて回収される。
【００６７】
ＳＢ１５、制御部１５は、鑑別部４で再鑑別された硬貨が旧５００円以外の金種の真性硬貨の場合は、当該硬貨を真性のオーバフロー硬貨として取扱うことを判定してステップＳＢ１８へ移行する。
再鑑別された硬貨が、金種不明等と鑑別された再鑑別時の収納リジェクト硬貨の場合は、ステップＳＢ１６へ移行する。
【００６８】
ＳＢ１６、再鑑別された硬貨を収納リジェクト硬貨と認識した制御部１５は、図１１に太い実線で示すように、振分ゲート１４ａの搬送方向を搬送路１３ｋの方向に切替えて、収納リジェクト硬貨と再鑑別された当該硬貨を搬送路１３ｃ、１３ｋにより一時保留部８に搬送して再度一時保留する。
ＳＢ１５、再鑑別時の収納リジェクト硬貨を一時保留部８に一時保留した制御部１５は、収納リジェクト硬貨が存在する旨を収納リジェクト情報として、記憶部１６に再度保存してステップＳＢ１９へ移行する。
【００６９】
ＳＢ１８、再鑑別された硬貨を真性のオーバフロー硬貨として取扱うことを判定した制御部１５は、当該硬貨の循環使用を可能とするために、実施例１のステップＳＡ８と同様にして、当該オーバフロー硬貨を補充回収カセット１０へ搬送して収納する。
これにより、真性硬貨として取扱うことを判定されたオーバフロー硬貨が補充回収カセット１０に収納され、その後の補充処理により当該金種の金種別収納庫５に収納され、出金硬貨として循環使用される。
【００７０】
ＳＢ１９、制御部１５は、実施例１のステップＳ９と同様にして、再鑑別時の硬貨の鑑別の終了を認識し、硬貨の再鑑別の継続を判定した場合は、ステップＳＢ１２へ戻って上記の硬貨の再鑑別を継続する。
硬貨の再鑑別の終了を判定した場合は、ステップＳＢ２０へ移行する。
ＳＢ２０、硬貨の再鑑別の終了を判定した制御部１５は、記憶部１６の収納リジェクト情報の有無を確認し、収納リジェクト情報が存在する場合はステップＳＢ２１へ移行する。
【００７１】
収納リジェクト情報が存在しない場合は、制御部１５は、実施例１のステップＳＡ１０と同様にして、入金収納処理を終了させる。
ＳＢ２１、再鑑別時の収納リジェクト情報の存在を確認した制御部１５は、記憶部１６に保存したリトライ回数Ｋを読出し、そのリトライ回数Ｋが所定の回数（本実施例では、３回）以下の場合は、ステップＳＢ１１へ戻って、リトライ回数Ｋを計数しながら上記のの収納リジェクト硬貨収納処理を継続する。
【００７２】
リトライ回数Ｋが所定の回数を超えている場合は、再鑑別の終了を認識し、再鑑別時の収納リジェクト硬貨を不明硬貨として取扱うことを判定してステップＳＢ２２へ移行する。
ＳＢ２２、再鑑別時の収納リジェクト硬貨を不明硬貨として取扱うことを判定した制御部１５は、実施例１のステップＳＡ１３と同様にして、当該硬貨を補充回収カセット１０の運用リジェクト庫１１へ搬送して収納し、実施例１のステップＳＡ１０と同様にして、入金収納処理を終了させる。
【００７３】
これにより、再鑑別時の金種等の不明硬貨が運用リジェクト庫１１へ収納され、係員により定期的に、または必要に応じて、補充回収カセット１０が取外されたときに、その不明硬貨の目視等による観察等が行われる。
このようにして、本実施例の硬貨の入金収納処理が実行される。
以下に、図１２に示す硬貨の補充処理の搬送経路を用い、本実施例の硬貨の補充処理について説明する。
【００７４】
いずれかの金種別収納庫５の収納枚数がニアエンド状態になった場合、または始業時等に係員が補充する硬貨を装填した補充回収カセット１０を硬貨処理機１に装着して各金種別収納庫５へ硬貨を補充する場合等には、現金自動預払機の図示しない主制御部は、自動的に、または係員により指示入力により、硬貨処理機１の制御部１５へ補充指令を送信する。
【００７５】
これを受信した制御部１５は、図１２に太い実線で示すように、補充回収カセット１０に収納されている全ての硬貨を、その繰出口から汎用搬送路７へ繰出し、これを汎用搬送路７により分離部３へ搬送して集積する。
補充回収カセット１０から繰出された全ての硬貨が、分離部３に集積されると、制御部１５は、記憶部１６の収納枚数計数エリアから各金種別収納庫５に収納されている硬貨の収納枚数を読出してフル状態の金種別収納庫５を特定し、その金種をオーバフロー金種として記憶部１６に一時保存する。
【００７６】
次いで、制御部１５は、上記実施例１の取込処理の作動と同様にして、鑑別部４での鑑別結果を基に、真性のオーバフロー硬貨と判定した硬貨、およびリジェクト硬貨と鑑別された収納リジェクト硬貨は、収納保留硬貨として一時保留部８に搬送して一時保留し、オーバフロー硬貨と判定されなかった真性硬貨は、その金種に応じて、当該一時集積部を通過させてその金種別収納庫５に直接収納し、記憶部１６の収納枚数計数エリアの当該金種のカウント数に「１」を加えて各金種別収納庫５の収納枚数をカウントする。
【００７７】
このとき、収納枚数計数エリアの当該金種の収納枚数がフル状態となったときは、以後の当該金種の硬貨をオーバフロー硬貨と判定するために、その金種をオーバフロー金種として記憶部１６に一時保存する。
そして、上記ステップＳＢ９と同様にして、分離部３の全ての硬貨の鑑別の終了を認識すると、一時保留部８に一時保留されているオーバフロー硬貨等の収納保留硬貨を、補充回収カセット１０等へ収納する収納処理を実行する。
【００７８】
収納保留硬貨の収納処理の作動は、上記ステップＳＢ２、ＳＢ３，ＳＢ６〜ＳＢ９の作動と同様であるので、その説明を省略する。
このオーバフロー硬貨収納処理時に収納リジェクト硬貨が存在する場合は、制御部１５は、収納リジェクト硬貨収納処理を実行する。
この収納保留硬貨の収納リジェクト硬貨収納処理の作動は、上記ステップＳＢ１０〜ＳＢ２２の作動と同様であるので、その説明を省略する。
【００７９】
このようにして、本実施例の補充処理が行われる。
以下に、図１３に示す硬貨の出金処理の搬送経路を用い、本実施例の硬貨の出金処理について説明する。
現金自動預払機の図示しない主制御部は、顧客が出金取引を選択し、顧客が取引カードの挿入や暗証番号の入力をし、出金金額を入力して、その確定操作を行ったときに、硬貨処理機１の制御部１５へ、出金金額を添付した硬貨の出金指令を送信する。
【００８０】
これを受信した制御部１５は、添付された出金金額を基に、出金すべき出金硬貨の金種別の繰出枚数を演算し、図１３に太い実線で示すように、出金硬貨の金種に該当する金種別収納庫５に収納されている繰出枚数の硬貨をその繰出口から搬送路１３ｊにより汎用搬送路７へ繰出し、これを汎用搬送路７により分離部３へ搬送して集積する。
このとき、制御部１５は、金種別収納庫５から出金硬貨を繰出す度に、記憶部１６の収納枚数計数エリアの当該金種のカウント数から「１」を減じて各金種別収納庫５の収納枚数を更新する。
【００８１】
金種別収納庫５から繰出された全ての硬貨が、分離部３に集積されると、制御部１５は、上記実施例１の取込処理の作動と同様にして、鑑別部４での鑑別結果を基に、真性の出金硬貨を、その金種別の枚数を記憶部１６でカウントしながら搬送路１３ｃ、１３ｄ、１３ｇにより、入出金口２へ搬送して集積し、リジェクト硬貨と鑑別された出金処理時の収納リジェクト硬貨は、収納保留硬貨として一時保留部８に搬送して一時保留し、上記ステップＳＢ９と同様にして、分離部３の全ての硬貨の鑑別の終了を判定する。
【００８２】
この場合に、出金処理時の収納リジェクト硬貨の発生により、入出金口２に集積した出金硬貨が不足する場合は、演算した金種別の繰出枚数と、記憶部１６でカウントした出金硬貨の金種別の枚数とを金種別に比較して、金種別の不足枚数を算出し、この不足枚数を前記と同様にして当該金種の金種別収納庫５から繰出し、汎用搬送路７（一時保留部８）上に一時保留されている収納保留硬貨と共に分離部３へ搬送し、前記と同様にして入出金口２へ搬送して集積し、入出金口２に集積した硬貨が、演算した金種別の繰出枚数になったときに、入出金口２のシャッタを解放して出金硬貨を顧客に払出す。
【００８３】
そして、制御部１５は、金種別の繰出枚数の硬貨を入出金口２へ集積したことを認識したときに、一時保留部８に一時保留されている収納保留硬貨を、補充回収カセット１０等へ収納する収納リジェクト硬貨収納処理を実行する。
この収納保留硬貨の収納リジェクト硬貨収納処理の作動は、上記ステップＳＢ１０〜ＳＢ２２の作動と同様であるので、その説明を省略する。
【００８４】
この場合に、真性硬貨と鑑別された硬貨は、真性のオーバフロー硬貨として取扱い補充回収カセット１０へ収納される。
このようにして、本実施例の出金処理が行われる。
上記のように、本実施例の入金収納処理においては、取込処理時に、一旦真性硬貨と鑑別され、収納保留硬貨と判定されて一時保留部８に一時保留された硬貨が、入金収納処理時に収納リジェクト硬貨と判定された場合における収納リジェクト硬貨収納処理時に、その収納リジェクト硬貨を再鑑別し、再鑑別時に真性硬貨と鑑別されたときに、当該収納リジェクト硬貨を真性硬貨として取扱うことを判定するので、真性硬貨として取扱うことを判定した収納リジェクト硬貨を、旧５００円硬貨の場合には回収硬貨収納庫１２へ、その収納リジェクト硬貨がオーバフロー硬貨である場合は補充回収カセットへ収納して、通常の真性硬貨の収納先に収納することができ、入金収納処理時における収納リジェクト硬貨の発生を抑制して、運用リジェクト庫１１に収納する収納リジェクト硬貨を減少させることが可能になり、運用リジェクト庫１１がフル状態になることによる硬貨処理機１の運用停止の頻度を減少させて、運用時の稼動効率を向上させることができる。
【００８５】
このことは、硬貨の切替えに伴って、比較的大型の旧５００円硬貨を積極的に回収するために取込処理で旧硬貨を受入れた場合に、特に有効である。
また、収納リジェクト硬貨と鑑別された旧５００円硬貨は、回収硬貨収納庫１２または運用リジェクト庫１１に収納され、補充回収カセット１０に収納されることはないので、補充回収カセット１０からの硬貨の補充時に、旧５００円硬貨が当該金種の金種別収納庫５に収納されることはなく、旧５００円硬貨が回収されずに再度市場へ流出してしまうことを防止することができると共に、旧５００円硬貨を確実に回収することができる。
【００８６】
更に、収納リジェクト硬貨と鑑別された硬貨を、少なくとも２回（取込処理時と、入金収納処理における収納リジェクト硬貨収納処理時）真性硬貨と鑑別したときに、その硬貨を通常の収納先に収納するので、各収納先に真性硬貨以外の硬貨が収納されることはなく、真性硬貨以外の硬貨が混入した場合の精査時における係員等による選別作業を不要にして、運用時の操作性を向上させることができる。
【００８７】
このことは、旧５００円硬貨を積極的に回収する場合においても、真性硬貨以外の旧５００円硬貨が、回収硬貨収納庫１２に混入することを防止することが可能になり、通常、繰出機構を有していない回収硬貨収納庫の回収後の精査時における係員等による選別作業を不要にすることができ、回収硬貨収納庫１２の回収頻度が増加する旧５００円硬貨の積極的な回収時における操作性の向上に、特に有効である。
【００８８】
更に、補充処理や出金処理における収納保留硬貨の収納リジェクト硬貨収納処理において、再鑑別により真性硬貨と鑑別された硬貨は真性硬貨として取扱うことを判定するので、補充処理や出金処理における収納リジェクト硬貨の発生を抑制して、運用リジェクト庫１１に収納する収納リジェクト硬貨を更に減少させることが可能になり、硬貨処理機１の運用停止の頻度を更に減少させて、運用時の稼動効率を更に向上させることができる。
【００８９】
以上説明したように、本実施例では、金種別収納庫と、鑑別部と、一時保留部とを備えた硬貨処理機において、取込処理時に、収納保留硬貨と判定された硬貨を一時保留部へ搬送し、入金収納処理時に、一時保留部の収納保留硬貨を鑑別部へ搬送して、その収納保留硬貨に、収納リジェクト硬貨が存在する場合に、収納リジェクト硬貨を再鑑別したときに、当該収納リジェクト硬貨が真性硬貨と鑑別されたときに、その収納リジェクト硬貨を真性硬貨として取扱うことを判定するようにしたことによって、上記実施例１と同様の効果に加えて、少なくとも２回の真性硬貨との鑑別に基づいて、当該硬貨を通常の収納先に収納することができ、各収納先に真性硬貨以外の硬貨が混入することに対する懸念を払拭して、運用時の操作性を向上させることができる。
【００９０】
なお、上記各実施例においては、硬貨の切替えに伴う旧硬貨は、旧５００円硬貨であるとして説明したが、他の金種の硬貨が切替えられたときの旧硬貨を積極的に回収する場合も同様である。
また、上記各実施例においては、回収硬貨収納庫には、真性の旧５００円硬貨が収納されるとして説明したが、例えば、真性硬貨と鑑別することは可能ではあるが、変形や傷、汚れ等が過度のために、循環使用に用いないと判定された硬貨や、硬貨入出金機の小型化を図るために金種別収納庫の数を削減して、循環使用に用いない硬貨として設定された硬貨等を回収硬貨収納庫に収納する場合も同様である。
【００９１】
更に、上記各実施例においては、本発明の硬貨処理機を装着する自動取引装置は現金自動預払機であるとして説明したが、自動取引装置は前記に限らず、自動販売機や発券機、両替機等であってもよい。要は顧客との間で硬貨や硬貨を用いた取引を自動で行うものであればどのような自動取引装置に装着しても本発明と同様の効果を得ることができる。
【図面の簡単な説明】
【００９２】
【図１】実施例１の硬貨処理機の概略構成の側面を示す説明図
【図２】実施例１の硬貨処理機を示すブロック図
【図３】実施例１の取込処理を示すフローチャート
【図４】実施例１の硬貨の入金処理の搬送経路を示す説明図
【図５】実施例１の入金収納処理を示すフローチャート
【図６】実施例１の収納保留硬貨の回収硬貨収納庫への搬送経路を示す説明図
【図７】実施例１の収納保留硬貨の一時保留部への搬送経路を示す説明図
【図８】実施例１の収納保留硬貨の補充回収カセットへの搬送経路を示す説明図
【図９】実施例１の収納保留硬貨の運用リジェクト庫への搬送経路を示す説明図
【図１０】実施例２の入金収納処理を示すフローチャート
【図１１】実施例２の再鑑別時の収納リジェクト硬貨の一時保留部への搬送経路を示す説明図
【図１２】実施例２の硬貨の補充処理の搬送経路を示す説明図
【図１３】実施例２の硬貨の出金処理の搬送経路を示す説明図
【符号の説明】
【００９３】
１    硬貨処理機
２    入出金口
３    分離部
４    鑑別部
５    金種別収納庫
６    一時集積部
７    汎用搬送路
８    一時保留部
１０  補充回収カセット
１１  運用リジェクト庫
１２  回収硬貨収納庫
１３、１３ａ〜１３ｋ  搬送路
１４、１４ａ〜１４ｅ  振分ゲート
１５  制御部
１６  記憶部
【図１】
2009015758.tif 000003
【図２】
2009015758.tif 000004
【図３】
2009015758.tif 000005
【図４】
2009015758.tif 000006
【図５】
2009015758.tif 000007
【図６】
2009015758.tif 000008
【図７】
2009015758.tif 000009
【図８】
2009015758.tif 000010
【図９】
2009015758.tif 000011
【図１０】
2009015758.tif 000012
【図１１】
2009015758.tif 000013
【図１２】
2009015758.tif 000014
【図１３】
2009015758.tif 000015